(57)【要約】【課題】トイレブース内に使用者がいないのに「使用中」と誤表示されることがないトイレブースの使用管理装置を提供する。【解決手段】フックプレートに接続した上位ハブと非常用錠前のロータ軸に接続した下位ハブに、リンクプレートの上下端部をそれぞれ可動枢軸で連結し、リンクプレートの中間部の案内ピンをニットハウジングの縦長の弧状ガイド孔に嵌挿し、前記弧状ガイド孔の上端部より斜め下方に位置にリンクカムを固定枢軸でユニットハウジングに取り付け、リンクカムの先端部にカム斜面部を形成する一方、基端部にバネ支持アーム部を形成し、前記バネ支持アーム部とユニットハウジングの上部間に引張りコイルバネよりなるデッドポイントバネを張設し、リンクカムの前記カム斜面部を前記案内ピンの周面に当接させて前記フックプレートを直立位置に向かって旋回付勢する。【選択図】図４
2010007388.tif 000002
【特許請求の範囲】
【請求項１】
トイレブースの出入り口を開閉する引戸の内側面に配置されており、トイレブースが不使用状態にあるときにはフックプレートが直立位置にあり、トイレブースが使用状態にあるときには前記フックプレートが水平位置にあり、固定戸枠の受座ユニットとの係合しているロックユニットと、
引戸の外側面に配置されており、前記フックプレートの占める位置に対応してトイレブースの使用状態と不使用状態を外部に報知する表示器を前面部に備え、非常時にフックプレートを解錠位置に駆動するための非常用錠前を前面部に備えた表示器ユニットとからなるトイレブース使用管理装置において、
前記ロックユニットが、ユニットハウジングの上部に回転可能に支持されており、前記フックプレートの基端軸部が連結されている上位ハブと、
前記ユニットハウジングの下部に回転可能に支持されており、前記非錠用錠前のロータの先端軸部が連結されている下位ハブと
上端部を前記上位ハブの張出し翼部に上位可動枢軸によって連結され、下端部を前記下位ハブの張出し鍔部に下位可動枢軸によって連結され、中間部の案内ピンが前記ユニットハウジングの中間部の縦長の弧状ガイド孔に嵌挿されているリンクプレートと、
前記弧状ガイド孔の上端部より斜め下方に位置にて固定枢軸によって前記ユニットハウジングに支持され、先端部にカム斜面部を形成し、基端部にバネ支持アーム部を形成してあるリンクカムと、
前記リンクカムのバネ支持アーム部と前記ユニットハウジングの上部のバネ支持ピンとの間に張設した引張りコイルバネよりなるデッドポイントバネとからなり、
前記リンクカムのカム斜面部を前記案内ピンの周面に当接させ、前記フックプレートを前記デッドポイントバネの付勢によって直立位置へ旋回付勢するようにしたことを特徴とするトイレブース使用管理装置。
【発明の詳細な説明】
【技術分野】
【０００１】
本発明は、トイレブース内に使用者がいないのに表示器ユニットに「使用中」と誤表示されることがないトイレブース使用管理装置に関する。
【背景技術】
【０００２】
トイレブースの出入り口を開閉する引戸の内側面に配置されており、トイレブースが不使用状態にあるときにはフックプレートが直立位置にあり、トイレブースが使用状態にあるときには前記フックプレートが水平位置にあり、固定戸枠の受座ユニットとの係合しているロックユニットと；引戸の外側面に配置されており、前記フックプレートの占める位置に対応してトイレブースの使用状態と不使用状態を外部に報知する表示器を前面部に備え、非常時にフックプレートを解錠位置に駆動するための非常用錠前を前面部に備えた表示器ユニットとからなるトイレブース使用管理装置は、従前から鉄道車両に既に使用されている。
【０００３】
この使用管理装置に組み込まれているロックユニットは、図１０に示したように、ユニットハウジング１０１の上部に回転可能に支持され、フックプレート１０５の基端軸部が連結されている上位ハブ１１１と；ユニットハウジング１０２の下部に回転可能に支持され、非錠用錠前のロータの先端軸部が連結用凹部１２７を有する下位ハブ１１２と；上端部を上位ハブ１１１の張出し翼部１２９に上位可動枢軸１３０によって連結され、下端部を下位ハブ１１２の張出し鍔部１３１に下位可動枢軸１３２によって連結されているリンクプレート１１３と；上位ハブ１１１を旋回付勢するために上位可動枢軸１３０とユニットハウジング１０１のバネ支持ピン１５５との間に架設されたコイル状の上位トーションバネ１５３と；下位ハブ１１２を回転付勢するために下位可動枢軸１３２とユニットハウジング１０１のバネ支持ピン１５６との間に架設されたコイル状の下位トーションバネ１５４とで構成されている。
【０００４】
しかしながら、このトイレブースの使用管理装置では、用済み後の使用者が勘違いしてフックプレート１０５を水平位置に倒してしまうと、フックプレート１０５が正規の直立位置に確実に復帰しないという不都合があり、そのまま引戸が閉鎖されたときには、水平位置にあるフックプレート１０５が固定戸枠の受座ユニットと係合して引戸が固定戸枠に錠止され、表示器ユニットに「使用中」と誤表示されるトラブルがあった。
【０００５】
上記のトイレブース使用管理装置は実際に使用されているものであるが、これを開示されている特許文献は発見できなかった。
【発明の開示】
【発明が解決しようとする課題】
【０００６】
本発明の課題は、不使用状態ではフックプレートが直立状態に確実に付勢保持されているため、トイレブース内に使用者がいないのに表示器ユニットに「使用中」と誤表示されることがないトイレブース使用管理装置を提供することである。
【課題を解決するための手段】
【０００７】
本発明の主たる特徴は、トイレブースの出入り口を開閉する引戸の内側面に配置されており、トイレブースが不使用状態にあるときにはフックプレートが直立位置にあり、トイレブースが使用状態にあるときには前記フックプレートが水平位置にあり、固定戸枠の受座ユニットとの係合しているロックユニットと、
引戸の外側面に配置されており、前記フックプレートの占める位置に対応してトイレブースの使用状態と不使用状態を外部に報知する表示器を前面部に備え、非常時にフックプレートを解錠位置に駆動するための非常用錠前を前面部に備えた表示器ユニットとからなるトイレブース使用管理装置において、
前記ロックユニットが、ユニットハウジングの上部に回転可能に支持されており、前記フックプレートの基端軸部が連結されている上位ハブと、
前記ユニットハウジングの下部に回転可能に支持されており、前記非錠用錠前のロータの先端軸部が連結されている下位ハブと
上端部を前記上位ハブの張出し翼部に上位可動枢軸によって連結され、下端部を前記下位ハブの張出し鍔部に下位可動枢軸によって連結され、中間部の案内ピンが前記ユニットハウジングの中間部の縦長の弧状ガイド孔に嵌挿されているリンクプレートと、
前記弧状ガイド孔の上端部より斜め下方に位置にて固定枢軸によって前記ユニットハウジングに支持され、先端部にカム斜面部を形成し、基端部にバネ支持アーム部を形成してあるリンクカムと、
前記リンクカムのバネ支持アーム部と前記ユニットハウジングの上部のバネ支持ピンとの間に張設した引張りコイルバネよりなるデッドポイントバネとからなり、
前記リンクカムのカム斜面部を前記案内ピンの周面に当接させ、前記フックプレートを前記デッドポイントバネの付勢によって直立位置へ旋回付勢するようにしたことである。
【発明の効果】
【０００８】
本発明のトイレブース使用管理装置では、フックプレートに接続した上位ハブと非常用錠前のロータ軸に接続した下位ハブに、リンクプレートの上下端部をそれぞれ可動枢軸で連結し、リンクプレートの中間部の案内ピンをニットハウジングの縦長の弧状ガイド孔に嵌挿し、前記弧状ガイド孔の上端部より斜め下方に位置にリンクカムを固定枢軸でユニットハウジングに取り付け、リンクカムの先端部にカム斜面部を形成する一方、基端部にバネ支持アーム部を形成し、前記バネ支持アーム部とユニットハウジングの上部のバネ支持ピンとの間に引張りコイルバネよりなるデッドポイントバネを張設し、リンクカムの前記カム斜面部を前記案内ピンの周面に当接させて前記フックプレートを直立位置に向かって旋回付勢するようにしてあるため、用済み後の使用者がフックプレートを誤って水平位置に倒しても、フックプレートは即座に直立位置に復帰することになり、トイレブース内に使用者がいないのに表示器ユニットに「使用中」と誤表示されることがない。
【実施例】
【０００９】
トイレブース使用管理装置は、ロックユニット１と表示器ユニット２と受座ユニット３とから構成される。ロックユニット１は、トイレブースの出入り口を開閉する引戸４の内側面に配置されており、トイレブースが不使用状態にあるときにはフックプレート５が直立位置にあり、トイレブースが使用状態にあるときにはフックプレート５が水平位置にあって、フックプレート５の先端フック部が固定戸枠６に設けた受座ユニット３に係合することによって、引戸４を固定戸枠に施錠している。
【００１０】
表示器ユニット２は引戸４の外側面に配置されており、フックプレート５の占める位置に対応してトイレブースの使用状態と不使用状態を外部に報知する表示器７Ａを前面部に備えており、また、非常時にフックプレート５を解錠位置に駆動するための非常用錠前８を前面部に備えている。表示器７は。「使用中：Occupied」と「空き：Vacant」の標示のある一枚の表示プレートが、ロックプレート１からの連動機構によって上下方向に駆動され、表示窓９に交互に現れるものである。
【００１１】
ロックユニット１のユニットハウジング１０内には、上位ハブ１１、下位ハブ１２、リンクプレート１３、リンクカム１４が収容されている。
上位ハブ１１の前端軸部１５はユニットハウジング１０の前面壁１６の上部軸孔１７より突出してフックプレート５の基端軸部１８の受孔１９に嵌合され、固着具２０によってフックプレート５に固定されている。上位ハブ１１の後端突出部２１の角孔２２には角軸２３が嵌合されている。ロックピン２４によって上位ハブ１１に固定されている角軸２３は、表示器７の前記表示プレートの駆動機構に連動装備されている。
【００１２】
下位ハブ１２の前端軸部２５ユニットハウジング１０の前面壁１６の下部軸孔２６に嵌合され、下位ハブ１２の後面側の連動用凹部２７には、非常用錠前８のロータの先端軸部が嵌合される。したがって、トイレブース内において異常状態が発生したと判断される場合には、鉄道車両の乗務員等の正当権限者が、非常用錠前８のロータの鍵孔２８に所定の鍵を挿入して回すことによって、下位ハブ１２が解錠方向に強制回転させられる。
【００１３】
リンクプレート１３の上端部は、上位ハブ１１の張出し翼部２９に上位可動枢軸３０によって連結され、下端部を下位ハブ１２の張出し鍔部３１に下位可動枢軸３２によって連結されている。リンクプレート１３の中間部に固定された案内ピン３３は、ユニットハウジング１０の後面裏板３４に形成した縦長の弧状ガイド孔３５に嵌挿されている。
リンクカム１４は、弧状ガイド孔３５の上端部より斜め下方に位置にて固定枢軸３６によってユニットハウジング１０に支持されている。リンクカム１４の先端部には、斜め下向きのカム斜面部３７が形成されている。リンクカム１２の基端部には、バネ支持アーム部３８が斜め上向きに形成されている。固定枢軸３７は、ビス３９によってユニットハウジング１０の別の裏面裏板４０に固定されている。
【００１４】
リンクカム１４のバネ支持アーム部３８とユニットハウジング１０の上部に固定された
のバネ支持ピン４１との間には、張設した引張りコイルバネよりなるデッドポイントバネ４２が張設されている。バネ支持ピン４１はビス４３によってユニットハウジング１０の裏面裏板４０に固定されている。
このデッドポイントバネ４２は、図４に示したようにバネ支持アーム部３８のバネ取付孔４４がバネ支持ピン４１と固定枢軸３７を結ぶ直線上の死点位置に来たとき、フックプレート５を水平位置に付勢することも直立位置に付勢することもない。
本発明では、デッドポイントバネ４２の死点位置をフックプレート５の回転軸から可能な限り遠い位置に設定してあり、フックプレート５を直立位置へ付勢するための作動領域が広く設定されている。
【００１５】
そのため、使用者が勘違いしてフックプレート５を倒してトイレブースを出るとき、その倒し角度が小さいときには、フックプレート５はデッドポイントバネ４２の上記付勢によって直ちに直立位置に自動的に復帰する。
また、デッドポイント５の上記死点位置を越えた水平位置までフックプレート５が完全に倒されても、引戸への閉鎖の最終段階でフックプレート５の先端フック部４５が受座ユニット３に当ったとき、その反動でフックプレート５が浮き上がった瞬間に前記死点位置を越えるため、フックプレート５はデッドポイントバネ４２に力で直立位置に自動的に戻されることになる。
【００１６】
受座ユニット３には、フックプレート５の先端フック部４５によってＯＮ動作されるマイクロスイッチなどの位置センサ４６が装備されており、この検出信号はレセプタクルコネクタ４７を介して、表示器ユニット２の表示灯７Ｂ８の制御回路に送られるようになっている。ユニットハウジング１０には、上位ハブ１１の回転角度規制用ピン４８と下位ハブ１２の回転角度規制用ピン４９がそれぞれビス５０，５１によってが固定されている。
【図面の簡単な説明】
【００１７】
【図１】本発明の一実施例に係るトイレブース使用管理装置におけるロックユニットの正面図である。
【図２】図１のロックユニットの背面図である。
【図３】図１のＡ−Ａ線断面図である。
【図４】図３のＢ−Ｂ線断面図である。
【図５】図１のロックユニットと受座ユニットの配置構成を示す正面図である。
【図６】図１のロックユニットと表示器ユニット及び受座ユニットとの配置構成を示す平面図である。
【図７】図５の受座ユニットの左側面図である。
【図８】図１のロックユニットと表示器ユニットとの配置構成を示す右側面図である。
【図９】図６の表示器ユニットの正面図である。
【図１０】従来のトイレブース使用管理装置におけるロックユニットの縦断面図である。
【符号の説明】
【００１８】
１  ロックユニット
２  表示器ユニット
３  受座ユニット
４  トイレブースの出入り口の引戸
５  ロックユニットのフックプレート
６  トイレブースの固定戸枠
７Ａ  表示器
７Ｂ  表示灯
８  非常用錠前
９  表示窓
１０  ロックユニットのユニットハウジング
１１  上位ハブ
１２  下位ハブ
１３  リンクプレート
１４  リンクカム
１５  上位ハブの前端軸部
１６  ユニットハウジングの前面壁
１７  上部軸孔
１８  フックプレートの基端軸部
１９  基端軸部の受孔
２０  上位ハブの固着具
２１  上位ハブの後端突出部
２２  後端突出部の角孔
２３  角軸
２４  ロックピン
２５  下位ハブの前端軸部
２６  下部軸孔
２７  下位ハブの連動用凹部
２８  非常用錠前の鍵孔
２９  上位ハブの張出し翼部
３０  上位可動枢軸
３１  下位ハブの張出し鍔部
３２  下位可動枢軸
３３  リンクプレートの案内ピン
３４  ユニットハウジングの後面裏板
３５  弧状ガイド孔
３６  固定枢軸
３７  リンクカムのカム斜面部
３８  リンクカムのバネ支持アーム部
３９  固定枢軸の固着用ビス
４０  ユニットハウジングの別の裏面裏板
４１  ユニットハウジングのバネ支持ピン
４２  デッドポイントバネ
４３  バネ支持ピンの固定用ビス
４４  バネ支持アーム部のバネ取付孔
４５  フックプレートの先端フック部
４６  位置センサ
４７  レセプタクルコネクタ
４８  表示器ユニットの表示灯
【図１】
2010007388.tif 000003
【図２】
2010007388.tif 000004
【図３】
2010007388.tif 000005
【図４】
2010007388.tif 000006
【図５】
2010007388.tif 000007
【図６】
2010007388.tif 000008
【図７】
2010007388.tif 000009
【図８】
2010007388.tif 000010
【図９】
2010007388.tif 000011
【図１０】
2010007388.tif 000012